(57)【特許請求の範囲】
【請求項１】
フレームの少なくとも表面側に複数のパネル板と上端に笠木を取付け、前記パネル板と笠木との間及び上下のパネル板間に横目地部を形成し、この上下に複数の横目地部を備えた間仕切パネルに、該横目地部を利用して他の間仕切パネル又は他の部品を取付けることが可能な間仕切パネルにおけるオプション取付装置において、前記横目地部に臨む前記フレームに横方向に所定間隔で複数の係合孔を形成し、上下に位置する複数の横目地部の単数又は横並びの複数の係合孔にそれぞれ係着金具を係着し、上下に位置する複数の係着金具に渡って連結杆を上下方向に取付けるとともに、該連結杆を利用してオプションを取付けることを特徴とする間仕切パネルにおけるオプション取付装置。
【請求項２】
両側の縦枠間に複数の横枠を備えたフレームの少なくとも表面側に、上下に複数のパネル板を装着するとともに、上端の横枠に笠木を装着し、前記横目地部に臨む横枠及び縦枠に形成した前記係合孔に前記係着金具を係着してなる請求項１記載の間仕切パネルにおけるオプション取付装置。
【請求項３】
前記係着金具は、互いに左右逆向きの係止爪を有する第１フック金具と第２フック金具、及び前記第１フック金具と第２フック金具を一体化する本体金具とからなり、前記第１フック金具と第２フック金具の各係止爪を同一の前記係合孔又は横並びの異なる前記係合孔にそれぞれ係止した状態で、前記本体金具でネジ止め一体化してなる請求項１又は２記載の間仕切パネルにおけるオプション取付装置。
【発明の詳細な説明】
【技術分野】
【０００１】
本発明は、間仕切パネルにおけるオプション取付装置に係わり、更に詳しくは上下に複数の横目地部を備えた間仕切パネルに他の間仕切パネル又は他の部品を取付けるためのオプション取付装置に関するものである。
【背景技術】
【０００２】
従来から、特許文献１に開示されるように、間仕切パネルの縦枠同士を連結し、あるいは隣接する間仕切パネルを支柱を介して連結し、間仕切パネルの縦枠又は支柱に設けた係止孔に、ブラケットのフックを係止し、該ブラケットに机天板を載置して固定するとともに、適宜な縦枠又は支柱に脚部材を取付けて自立するようにした構造の机天板付き間仕切装置は公知である。
【０００３】
通常、間仕切パネルに他の間仕切パネルを連結してＬ字状、Ｔ字状又は十文字状の配置にするには、間仕切パネルの直線連結に供した縦枠又は支柱を用いたり、コーナー支柱を用いて連結する。例えば、特許文献２には、直線的に隣接する間仕切パネルの縦枠同士を接合し、クランプ装置を用いて互いに引き付けて連結し、両間仕切パネルのパネル板の間に形成される縦目地部に両縦枠が作る係合溝を利用し、Ｔ字状に配置した他の間仕切パネルの縦枠を同じくクランプ装置を用いて引き付けて連結する構造が開示されている。このように、間仕切装置においては、パネル板間の縦目地部に臨む係合溝や係止孔を利用して、間仕切パネルの他、棚板ブラケット、照明器具の支持具等のオプションを連結することが一般的である。
【０００４】
一方、特許文献３には、上下方向に複数の単位パネルを積み重ねて所望の高さの間仕切パネルを構成する間仕切装置において、上下の単位パネル間に形成される横目地部をハンギング溝とし、該ハンギング溝を利用して他の間仕切パネルをＴ字状に連結する構造が開示されている。具体的には、間仕切パネルの横方向の任意の位置において、上下の複数のハンギング溝に連結フックのフック片を係止した後、連結ポストの受入溝内に前記連結フックを収容してネジ止めし、間仕切パネルの表面に沿って連結ポストを取付ける。そして、他の間仕切パネルを前記連結ポストと連結するのである。
【０００５】
しかし、特許文献２に記載のものは、他の間仕切パネルやオプションを取付ける位置が縦目地部に限定される。一方、特許文献３に記載のものは、横目地部を利用するので、間仕切パネルの横方向の任意の位置に他の間仕切パネルやオプションを取付けることができるが、連結ポストに連結フックをネジで引き付け、連結フックのフック片とハンギング溝との接触摩擦抵抗及び連結ポストの端面と間仕切パネルの表面との接触摩擦抵抗で連結ポストの横方向の変位を規制する構造であるので、ネジが緩んだり、大きな力が横方向から加わると、連結ポストの位置がずれる可能性がある。
【先行技術文献】
【特許文献】
【０００６】
【特許文献１】特開２００１−１２８７５３号公報
【特許文献２】特開平１０−１０２６３８号公報
【特許文献３】特開２０１０−１０６６２４号公報
【発明の概要】
【発明が解決しようとする課題】
【０００７】
そこで、本発明が前述の状況に鑑み、解決しようとするところは、上下に複数の横目地部を備えた間仕切パネルに、横目地部を利用して他の間仕切パネル又は他の部品を前面側からの作業のみで簡単に取付けることが可能な間仕切パネルにおけるオプション取付装置を提供する点にある。
【課題を解決するための手段】
【０００８】
本発明は、前述の課題解決のために、フレームの少なくとも表面側に複数のパネル板と上端に笠木を取付け、前記パネル板と笠木との間及び上下のパネル板間に横目地部を形成し、この上下に複数の横目地部を備えた間仕切パネルに、該横目地部を利用して他の間仕切パネル又は他の部品を取付けることが可能な間仕切パネルにおけるオプション取付装置において、前記横目地部に臨む前記フレームに横方向に所定間隔で複数の係合孔を形成し、上下に位置する複数の横目地部の単数又は横並びの複数の係合孔にそれぞれ係着金具を係着し、上下に位置する複数の係着金具に渡って連結杆を上下方向に取付けるとともに、該連結杆を利用してオプションを取付けることを特徴とする間仕切パネルにおけるオプション取付装置を構成した（請求項１）。
【０００９】
ここで、両側の縦枠間に複数の横枠を備えたフレームの少なくとも表面側に、上下に複数のパネル板を装着するとともに、上端の横枠に笠木を装着し、前記横目地部に臨む横枠及び縦枠に形成した前記係合孔に前記係着金具を係着してなるのである（請求項２）。
【００１０】
更に、前記係着金具は、互いに左右逆向きの係止爪を有する第１フック金具と第２フック金具、及び前記第１フック金具と第２フック金具を一体化する本体金具とからなり、前記第１フック金具と第２フック金具の各係止爪を同一の前記係合孔又は横並びの異なる前記係合孔にそれぞれ係止した状態で、前記本体金具でネジ止め一体化してなることがより好ましい（請求項３）。
【発明の効果】
【００１１】
以上にしてなる請求項１に係る発明の間仕切パネルにおけるオプション取付装置は、フレームの少なくとも表面側に複数のパネル板と上端に笠木を取付け、前記パネル板と笠木との間及び上下のパネル板間に横目地部を形成し、この上下に複数の横目地部を備えた間仕切パネルに、該横目地部を利用して他の間仕切パネル又は他の部品を取付けることが可能な間仕切パネルにおけるオプション取付装置において、前記横目地部に臨む前記フレームに横方向に所定間隔で複数の係合孔を形成し、上下に位置する複数の横目地部の単数又は横並びの複数の係合孔にそれぞれ係着金具を係着し、上下に位置する複数の係着金具に渡って連結杆を上下方向に取付けるとともに、該連結杆を利用してオプションを取付けるので、前記係合孔の位置によって制限されるが、係着金具を任意の係合孔を選んで係止すれば、間仕切パネルの表面の横方向所望位置に他の間仕切パネル又は他の部品を、横方向に変位することがなく確実に取付けることができ、オプションの取付強度が格段に向上し、間仕切パネルのような大型のオプションでも確実にＴ字状に連結することができる。
【００１２】
請求項２によれば、両側の縦枠間に複数の横枠を備えたフレームの少なくとも表面側に、上下に複数のパネル板を装着するとともに、上端の横枠に笠木を装着し、前記横目地部に臨む横枠及び縦枠に形成した前記係合孔に前記係着金具を係着してなるので、通常の間仕切パネルの機能を損なうことがなく、横目地部設けた係合孔に係着金具を係着することで、間仕切パネルの表面の横方向所望位置にオプションを取付けることができる。
【００１３】
請求項３によれば、前記係着金具は、互いに左右逆向きの係止爪を有する第１フック金具と第２フック金具、及び前記第１フック金具と第２フック金具を一体化する本体金具とからなり、前記第１フック金具と第２フック金具の各係止爪を同一の前記係合孔又は横並びの異なる前記係合孔にそれぞれ係止した状態で、前記本体金具でネジ止め一体化してなるので、係着金具の係合孔への係着作業が容易であり、また係合孔に係止した状態で第１フック金具と第２フック金具を本体金具でネジ止め一体化した後には、係合孔から脱落する恐れが全くなくなるばかりでなく、横方向のガタツキも抑制することができる。
【図面の簡単な説明】
【００１４】
【図１】本発明を適用する間仕切パネルを備えたパネルデスクシステムの簡略分解斜視図である。
【図２】パネルデスクシステムの一例を示し、対面フラットデスク態様の斜視図である。
【図３】パネルデスクシステムの一例を示し、中間にフロントパネルを備えた対面デスク態様の斜視図である。
【図４】パネルデスクシステムの一例を示し、高さの異なるフロントパネルを備え、一側に側面パネルを供えた片面デスク態様の斜視図である。
【図５】間仕切パネルの表面側に他の間仕切パネルをＴ字状に連結した部分を有するパネルデスクシステムの一例を示す斜視図である。
【図６】パネルフレームの縦枠に支持脚を取付ける構造を示す分解斜視図である。
【図７】同じくパネルフレームの縦枠に支持脚を取付けた状態の一部省略平面図である。
【図８】連結したパネルフレームの両縦枠に渡って支持脚を取付ける構造を示す分解斜視図である。
【図９】同じく連結したパネルフレームの両縦枠に渡って支持脚を取付けた状態の一部省略平面図である。
【図１０】支持脚をパネルフレームの縦枠に取付けるための脚連結金具を示し、（ａ）は斜視図、（ｂ）は平面図、（ｃ）は側面図、（ｄ）は正面図を示している。
【図１１】パネルフレームの縦枠に支持脚を取付けた状態の斜視図である。
【図１２】パネルフレームの上端に延長フレームを連設する構造を示す分解斜視図である。
【図１３】配線ダクトの構造を示す部分断面図である。
【図１４】パネルフレームの上方に複数の延長フレームを積み重ね、表裏両面にパネル板を装着して構成した間仕切パネルの正面図である。
【図１５】同じく上下のパネル板の間に形成される横目地部の部分拡大正面図である。
【図１６】間仕切パネルの横目地部に臨む左右中間部の係合孔を利用してオプション、例えば他の間仕切パネルの縦枠を連結する構造を、パネル板を省略して示す分解斜視図である。
【図１７】同じく中間部での連結構造を示し、（ａ）は分解拡大斜視図、（ｂ）組み合わせた状態の拡大斜視図である。
【図１８】間仕切パネルの横目地部に臨む左右一端部の係合孔を利用してオプション、例えば他の間仕切パネルの縦枠を連結する構造を、パネル板を省略して示す分解斜視図である。
【図１９】同じく端部での連結構造を示し、（ａ）は分解拡大斜視図、（ｂ）組み合わせた状態の拡大斜視図である。
【図２０】同じく間仕切パネルの表面側に他の間仕切パネルをＴ字状に連結した場合の連結部を示す部分側面図である。
【図２１】天板上位にサイドパネルを取付けた状態の側面図である。
【図２２】サイドパネルの分解斜視図である。
【図２３】同じくサイドパネルの分解斜視図である。
【図２４】サイドパネルの後部をフロントパネルブに支持する構造を示す部分分解側面図である。
【図２５】天板上面に取付けたレール部材にサイドパネルの下部を連結する構造を示す部分分解側面図である。
【図２６】天板上位にサイドパネルを取付けた状態の縦断面図である。
【発明を実施するための形態】
【００１５】
次に、添付図面に示した実施形態に基づき、本発明を更に詳細に説明する。図１は、本発明に係る間仕切パネルを用いてデスクを構成するパネルデスクシステムの構成部材を示す分解斜視図、図２〜図４はパネルデスクシステムの態様例を示し、図６〜図１３はパネルデスクシステムの基本構成を示し、図１４〜図２０はオプション取付装置の具体例を示し、図中符号１はパネルフレーム、２は端部脚、３は支持脚、４はパネル脚、５は天板、６はダクトカバー、７は上部配線受け、８は下部配線受け、９は幕板、１０は延長フレーム、１１はパネル板、１２は笠木、１３は側カバーをそれぞれ示している。
【００１６】
本実施形態に係るパネルデスクシステムは、図１に示すように、複数のパネルフレーム１，…を側方へ連結し、端部に位置する前記パネルフレーム１の縦枠１４に前記端部脚２を取付けるとともに、中間に位置する前記パネルフレーム１の縦枠１４に支持脚３，…を取付け、そして前記端部脚２と支持脚３の上位及び隣接する両側の支持脚３，３の上位に天板５を載置して固定する。前記天板５の後端と前記パネルフレーム１との間にダクト開口１５を設けて、該ダクト開口１５にダクトカバー６を開閉可能に設けている。また、前記ダクト開口１５の下方で、前記パネルフレーム１の前面側に上部配線受け７と下部配線受け８とを取付け、その前面側に着脱可能且つ開閉可能に幕板９を取付けて配線装置を構成している。また、前記支持脚３には、必要に応じてパネル脚４を連結一体化し、あたかも端部脚２のように構成することも可能である。
【００１７】
図２及び図３は、前記パネルフレーム１の両側に対称に天板５，５を配置した対面デスク態様を示している。本発明では、前記パネルフレーム１の高さは、その上端に笠木１２を取付けた状態で、該笠木１２の上面と前記天板５の上面とが略面一になるように設定されている。つまり、図２のように、前記パネルフレーム１の上端に笠木１２を取付け、前記天板５の後端との間に設けたダクト開口１５に前記ダクトカバー６を装着することにより、対面フラットデスク態様となる。また、図３のように、前記パネルフレーム１の上端に延長フレーム１０を連結し、該延長フレーム１０の表裏両面にパネル板１１，１１を取付けるとともに、該延長フレーム１０の上端に笠木１２、側端に側カバー１３を取付けることにより、対面した天板５，５の中間に目隠し機能を有するフロントパネル部１６を設けることができる。尚、前記パネルフレーム１の上端に笠木１２を取付けた場合も、延長フレーム１０とパネル板１１とを取付けた場合も、前記ダクト開口１５にはダクトカバー６を取付けることが可能である。尚、本発明は、このようなパネルデスクシステムのフロントパネル部１６に限らず、一般の間仕切パネルにも適用できるものである。
【００１８】
次に、各部の詳細を説明する。前記パネルフレーム１は、図１、図６及び図１２に示すように、両側に縦枠１４，１４を有し、両縦枠１４，１４の上端部間に上横枠１７と下部間に下横枠１８を縦枠１４の下端部を余して固着した構造である。前記上横枠１７と下横枠１８の表裏方向の厚さは縦枠１４よりも約５ｍｍ程度狭く設定し、該パネルフレーム１の両縦枠１４，１４の表面側に前記パネル板１１を装着した際に、前記上横枠１７及び下横枠１８とパネル板１１の裏面との間の隙間を利用してコードを配線できるようにしている。前記両縦枠１４，１４の下端には、高さ調節可能なアジャスター１９，１９を設けている。そして、両縦枠１４，１４の表裏両面には、前記パネル板１１の背面両側上下部に突設した係合部を係合して取付けるための開口２０，…を上下方向に所定ピッチで形成するとともに、上下部と中間部に左右一対の係止孔２１，２１を形成している。また、前記上横枠１７と下横枠１８の表裏両面で上縁に沿って横方向に一定間隔で横長の係合孔２２，…を形成し、該係合孔２２，…は上下パネル板１１，１１の間及びパネル板１１の上端と笠木１２の間の横目地部２３に露出するようになっている（図３及び図４参照）。また、前記横目地部２３に臨む縦枠１４の端部にも横幅の狭い係合孔２２を形成している。前記パネルフレーム１，１同士は、互いの縦枠１４，１４の端面を接合した状態で、貫通したボルトとナットで側方へ連結する。この連結構造は、間仕切パネルの連結構造と同じである。
【００１９】
前記延長フレーム１０は、図１及び図１２に示すように、両側の縦枠２４，２４の上端部間に上横枠２５を固着するとともに、下端部間に下横枠２６を固着し、該縦枠２４には前記縦枠１４と同様に開口２０，…を形成し、上横枠２５と縦枠２４にも前記上横枠１７と縦枠１４と同様に係合孔２２，…を形成している。更に、前記延長フレーム１０の両縦枠２４，２４の下端には、前記パネルフレーム１の両縦枠１４，１４の上端開口に嵌合する嵌合部２７，２７を下方へ向けて延設している。そして、前記パネルフレーム１の上に延長フレーム１０を連結するには、前記延長フレーム１０の両嵌合部２７，２７をパネルフレーム１の両縦枠１４，１４の上端開口に嵌合するとともに、パネルフレーム１の上横枠１７と延長フレーム１０の下横枠２６を接合した状態で上下方向にボルトとナットで締結する。図４には、前記延長フレーム１０の高さが異なる２種類のものを用いて、段違いのフロントパネル部１６を構成している。尚、前記延長フレーム１０は、複数を上方へ積み重ねて連結することができ、所望の高さの間仕切パネルを構成できる。
【００２０】
本発明では、フレームの具体的構造については制限がなく、前述のように、パネルフレーム１の上に単数又は複数の延長フレーム１０を連結して所定の高さのフレームを構成し、その少なくとも表面側に複数のパネル板１１と上端の横枠に笠木１２を取付けて構成し、前記パネル板１１と笠木１２との間及び上下のパネル板１１，１１間に横目地部２３を形成し、該横目地部２３に横枠の係合孔２２，…が臨んでいればよいのである（図１４参照）。最小構成は、前記パネルフレーム１のみを用い、一枚のパネル板１１と上端の上横枠１７に笠木１２を装着する構成である。また、従来の間仕切パネルのように、所定高さの両側縦枠間に複数の横枠を固定した一体構造のフレームを用いてもよい。
【００２１】
図５には、多数のパネルフレーム１及び延長フレーム１０を連結するとともに、パネル板１１と笠木１２及び側カバー１３を装着し、あるいは部分的に高さの高い通常の間仕切パネルを連結して区画形成し、一部に端部脚２、支持脚３及び天板５を装着してデスク部を構成し、更に本発明のオプション取付装置を用いて間仕切パネルをＴ字状に連結した部分も有する複合的なパネルデスクシステムを示している。
【００２２】
前記支持脚３は、図６及び図７に示すように、奥行幅が前記天板５よりも狭く前記パネルフレーム１の縦枠１４の前面に沿って連結する脚板部２８と、該脚板部２８の上端から前方へ延び上位に前記天板５を取付ける支持アーム２９とを有する逆Ｌ字形である。前記脚板部２８の後端面には、前記縦枠１４の下側二対の係止孔２１，２１に係止する下向きフック３０，３０を上下部に突設するとともに、後端部上部には脚連結金具３１を受け入れ、上端後部から下方へ挿入した締結ボルト３２で上方へ引き付けることができるようになっている。前記脚連結金具３１は、図１０に示すように、後側に前記縦枠１４の最上方の一対の係止孔２１，２１に係止する上向きフック３３，３３を突設するとともに、上面板３４に前記締結ボルト３２を螺合する螺孔３５を形成したものである。
【００２３】
そして、前記支持脚３を前記パネルフレーム１の縦枠１４に連結するには、先ず前記脚連結金具３１の上向きフック３３，３３を前記縦枠１４の最上方の係止孔２１，２１に係止した状態で、前記支持脚３の下向きフック３０，３０をそれぞれ下側二対の係止孔２１，２１に係止するとともに、前記脚連結金具３１を脚板部２８の上端部内に受け入れる。それから、前記脚板部２８の上端の通孔から挿入した前記締結ボルト３２を脚連結金具３１の螺孔３５に螺合し、該脚連結金具３１を上方へ引き上げると、それに伴って前記支持脚３が下方へ押し下げられ、前記下向きフック３０は下方へ、上向きフック３３は上方へ力が加わるので、強固に連結される。ここで、前記支持脚３の脚板部２８の下端には、高さ調節可能なアジャスター３６を設けてあり、調節して床面に接地させる。
【００２４】
図６及び図７は、前記パネルフレーム１の各縦枠１４にそれぞれ前記支持脚３を連結する例であるが、図８及び図９に示すように、連結したパネルフレーム１，１の両縦枠１４，１４の接合線に一つの前記支持脚３の中心が位置するように取付けることも可能である。それにより、中間部に設ける支持脚３の数を少なくすることができる。図８に示すように、連結したパネルフレーム１，１の両縦枠１４，１４の同じ高さ位置に、４つの係止孔２１，…が存在するので、中央側の二つの係止孔２１，２１を選んで、前記同様に脚連結金具３１を用いて支持脚３を取付けるのである。つまり、隣接する各パネルフレーム１の縦枠１４の外側の係止孔２１を一対用いるのである。取付方法は、前記と全く同様である。
【００２５】
そして、前記支持脚３の支持アーム２９に前記天板５を載置して固定するには、前記支持アーム２９上端前後部に固定板３７，３７を取付け、該固定板３７を天板５の下面にネジ止めして固定する。前記固定板３７は、中心とその両側等距離に通孔３８，…を有し、パネルフレーム１の各縦枠１４にそれぞれ支持脚３を取付ける場合には、一端部の通孔３８を用いて内側に突出するように前記固定板３７をネジ３９で固定する（図６参照）。一方、連結したパネルフレーム１，１の互いに接合した縦枠１４，１４の中央に一つの支持脚３を取付ける場合には、中央の通孔３８を用いて前記固定板３７が両側に突出するように固定する。そして、前記天板５の両側部を支持脚３の上端に載置し、前記固定板３７の残余の通孔３８を用いてネジ止めする。尚、図１１に示すように、前記端部脚２の上端前後部にも前記固定板３７，３７を内側へ突出するように固定し、同様に天板５をネジ止めする。
【００２６】
本実施形態では、図１に示すように、必要に応じて前記支持脚３の脚板部２８の前方で前記支持アーム２９と床面との間に、該支持アーム２９と一体化するパネル脚４を着脱可能に取付けることができるようになっている。前記支持脚３にパネル脚４を連結した状態では、前記端部脚２と略同等な外形となる。
【００２７】
前記パネル脚４は、上端に前記支持アーム２９を受け入れて前後方向にスライド係合するガイド溝４０を形成するとともに、後端と前記脚板部２８の前端とを互いに凹凸嵌合する嵌合構造とし、前記パネル脚４のガイド溝４０に前記支持アーム２９を係合するとともに、前記パネル脚４の後端を前記脚板部２８の前端に凹凸嵌合した状態で、前記支持脚３とパネル脚４とを前後方向に締結手段で引き付けて連結する。
【００２８】
ここで、図６及び図７に示したように、パネルフレーム１の各縦枠１４にそれぞれ支持脚３を取付け、端部脚２と支持脚３及び両支持脚３，３の上位にそれぞれ天板５，…を取付けた場合には、特定の天板５とそれを支持していた支持脚３を他の天板５と支持脚３とに関係なく取り除くことができ、その取り除いた空間をミーティングスペース等の他の目的に使用できるように、態様を変更することが容易である。その場合、中間に位置していた支持脚３が端部に位置するようになると、足入れ空間を側方から隠蔽するために、前記パネル脚４を支持脚３に装着し、あたかも端部脚２のように変更するのである。
【００２９】
次に、図１、図１１及び図１３に基づいて、ダクトカバー取付装置について簡単に説明する。前記天板５は、後端と前記パネルフレーム１の上横枠１７との間にダクト開口１５を設けて、前記支持脚３の上端及び端部脚２の上端に取付けられ、該ダクト開口１５に面する前記支持脚３と端部脚２の上端後部に取付部材４１を取付け、そして該取付部材４１に対して前記ダクトカバー６を回動開閉可能に支持するヒンジ部材４２を前後方向の位置を変更可能に取付けている。前記取付部材４１とヒンジ部材４２は共に合成樹脂製である。
【００３０】
次に、図１及び図１３に基づいて、配線ダクト装置を簡単に説明する。前記ダクト開口１５の下方の空間で、前記パネルフレーム１の上横枠１７の前面側に前記上部配線受け７を取付けるとともに、下横枠１８の前面側に下部配線受け８を取付け、更に両配線受けの前面側に前記幕板９を開閉可能且つ着脱可能に取付けて内部空間を形成し、前記上部配線受け７と下部配線受け８に収容した余剰コード、ケーブルが前方から見えないようにしている。具体的には、前記下横枠１８の左右両側部に取付けた支持金具４３，４３で前記幕板９の下端を前後傾動可能に支持するとともに、前記天板５の下面両側部に取付けた係止金具４４，４４で前記幕板９の上部両側部に設けたラッチ４５，４５を係着して取付けている。尚、前記幕板９の前面側には、前記ラッチ４５，４５の操作部のみが露出している。
【００３１】
本発明は、図１４〜図１６に示すように、前記横目地部２３に臨んだ前記係合孔２２，…を利用し、単数又は横並びの複数の係合孔２２に係着金具４６を係着し、該係着金具４６を利用して他の間仕切パネル又は他の部品等のオプションを取付けるのである。具体的には、上下に位置する複数の横目地部２３，…に臨む横枠の係合孔２２，…に、それぞれ係着金具４６，…を係着し、上下に位置する複数の係着金具４６，…に渡って連結杆４７を上下方向に取付けるとともに、該連結杆４７を利用してオプションを取付けるのである。前記係着金具４６は、互いに左右逆向きの係止爪５３，５８を有する第１フック金具４８と第２フック金具４９、及び前記第１フック金具４８と第２フック金具４９を一体化する本体金具５０とからなり、前記第１フック金具４８と第２フック金具４９の各係止爪を同一の前記係合孔２２にそれぞれ係止した状態で、前記本体金具５０でネジ止め一体化する。
【００３２】
図１７に基づいて、前記係着金具４６を更に詳しく説明する。前記第１フック金具４８は、垂直な長方形の基板５１の上縁右半分に挿入片５２を直角に形成し、該挿入片５２の先端部には右側外向きに係止爪５３を突設し、前記基板５１の下縁には前記挿入片５２と同じ方向に補強片５４を折曲形成し、更に前記基板５１の上下部に螺孔５５，５５を設けている。実際には、前記螺孔５５は、前記基板５１に通孔を形成し、該通孔の裏面側にナットを固着して設けている。
【００３３】
また、前記第２フック金具４９は、前記基板５１と同じ大きさの垂直な基板５６の上縁左半分に挿入片５７を直角に形成し、該挿入片５７の先端部には左側外向きに係止爪５８を突設し、前記基板５６の上部に通孔５９を形成するとともに、下部に座グリ孔６０を形成している。
【００３４】
また、前記本体金具５０は、前記第１フック金具４８の基板５１と前記第２フック金具４９の基板５６を重ねた状態で収容できる断面略コ字形の取付部６１と、該取付部６１の上縁に直角に折曲形成した平面視略Ｔ字形のカバー片６２を有し、前記取付部６１で上側の螺孔５５及び通孔５９に対応する位置に座グリ孔６３を形成するとともに、前記基板５１，５６と干渉しない下部に螺孔６４を形成している。前記本体金具５０の取付部６１は、前記５１，５６よりも上下寸法が長い取付板６５の両側に側面板６６，６６を折曲形成した構造である。
【００３５】
そして、図１６及び図１７（ｂ）に示すように、前記第１フック金具４８の挿入片５２を横目地部２３に挿入し、所望の係合孔２２の右側孔縁に係止爪５３を係止し、それから前記第２フック金具４９の挿入片５７を横目地部２３に挿入し、同一の前記係合孔２２の左側孔縁に係止爪５８を係止し、両挿入片５２，５７を左右に並べるとともに、前記第１フック金具４８の基板５１と前記第２フック金具４９の基板５６を重ね、前記第２フック金具４９の下方の座グリ孔６０から挿入した皿ネジ６７を前記第１フック金具４８の下方の螺孔５５に螺合して連結する。それから、前記本体金具５０のカバー片６２を前記両挿入片５２，５７の上側から前記横目地部２３内に挿入するとともに、重なった状態の前記第１フック金具４８の基板５１と前記第２フック金具４９の基板５６を前記本体金具５０の取付部６１の溝内部に収容し、該取付部６１の上部に設けた座グリ孔６３に挿入した皿ネジ６８を前記第２フック金具４９の通孔５９を通して前記第１フック金具４８の上側の螺孔５５に螺合し、前記第１フック金具４８と第２フック金具４９を一体化する。
【００３６】
この状態で、前記第１フック金具４８の挿入片５２と前記第２フック金具４９の挿入片５７が前記係合孔２２の孔内を埋めるように挿入され、またそれぞれの先端部に設けた両係止爪５３，５８が前記係合孔２２の両側孔縁に係止しているので、該係合孔２２から抜けることも、横方向に変位することもないのである。そして、前記係着金具４６を前述のように係合孔２２に係着した状態では、前記本体金具５０のカバー片６２の先端部が前記横目地部２３内に埋没した状態となり、対応する上横枠１７、下横枠１８又は上横枠２４に当接し、パネル面外方向の変位を規制し、また両挿入片５２，５７の上下移動を規制するとともに、前記カバー片６２の首部は両挿入片５２，５７に重なって隠蔽し、更に取付部６１の両側面板６６，６６の端縁は前記パネル板１１の表面に当接する。前記パネル板１１が存在せず、つまり横目地部２３が形成されてなくても、横枠に係合孔２２が形成されていれば、前記係着金具４６を係着することが可能であるので、係着金具４６を係着するのみにおいては、パネル板１１及び横目地部２３の存在は必須ではない。しかし、パネル板１１が存在しないと間仕切パネルとしての機能はないので、本発明においては、パネル板１１と横目地部２３は前提として必要になる。また、前記係着金具４６は、上下反転させて使うことも可能であり、図１６の下側の係着金具４６は上方の二つとは上下逆に使用した例である。
【００３７】
そして、前記連結杆４７は、図１６に示すように、断面略コ字形の長尺部材であり、前記本体金具５０の取付部６１を収容できる凹溝部６９を有するとともに、該凹溝部６９と反対側の表面には上下に複数のナット部材７０，…を突設している。ここで、前記ナット部材７０，…の位置は、前記パネルフレーム１及びその上に延長フレーム１０，…を連結した状態で、側方へ他のパネルフレーム１及延長フレーム１０を連結する際に、縦枠１４，１４同士、あるいは縦枠２４，２４同士を左右に貫通したボルト、ナットで連結する位置と一致させている。
【００３８】
そして、このように上下の複数の横目地部２３，…に臨んだ係合孔２２，…を用いて、前記係着金具４６，…を係着した後、前記連結杆４７の凹溝部６９に各本体金具５０の取付部６１を収容した状態で、該連結杆４７に形成した通孔７１，…から挿入したネジ７２を前記本体金具５０の螺孔６４に螺合して、複数の係着金具４６，…と連結杆４７を一体化する。このように、間仕切パネルの前面側で横方向中間部に沿って、前記連結杆４７が垂直に保持される。この連結杆４７に、間仕切パネルのフレームの縦枠を接合し、ボルト７３をナット部材７０に螺合して連結する（図５、図２０参照）。尚、図中符号７４は、最下段の設けた巾木を示している。従って、パネルフレーム１に取付けたパネル板１１と巾木７４の間にも横目地部２３が形成され、同様に下横枠１８に形成した係合孔２２，…が臨んでいる。前記巾木７４をパネルフレーム１に装着しなくても、つまり横目地部２３が形成されてなくても、係合孔２２を用いて前記係着金具４６を係着することが可能であり、その場合には前記係着金具４６を上下反転させて本体金具５０の取付部６１がパネル板１１の表面に当接する方が、取付状態が安定するので好ましい。当然ではあるが、前記係着金具４６を単独で特定の係合孔２２に係着し、小さな物品を装着することも可能である。
【００３９】
次に、間仕切パネルの表面側の横方向端部に、即ち前記パネルフレーム１の縦枠１４及び延長フレーム１０の縦枠２４の前面側にオプションを取付けるには、スペース的に前述の係着金具４６を用いることができない。これは、前記パネルフレーム１の縦枠１４及び延長フレーム１０の縦枠２４の上端部には、他の延長フレーム１０の縦枠２４の下端に設けた嵌合部２７が挿入されるため、内部に突出させることができず、そのため前記縦枠１４及び縦枠２４の横目地部２３に臨む端部に設けた係合孔２２は、パネルフレーム１の上横枠１７、下横枠１８及び延長フレーム１０の上横枠２５に形成した係合孔２２より横幅が狭く、しかも外側端に位置するからである。このような端部にも取付けることが可能な係着金具７５を図１８及び図１９に示している。
【００４０】
図１８及び図１９に示した係着金具７５は、前記第１フック金具７６と第２フック金具７７の各係止爪を横並びの異なる前記係合孔２２，２２にそれぞれ係止した状態で、前記本体金具５０でネジ止め一体化するものである。つまり、この係着金具７５にも前述と同じ本体金具５０を用いる。本実施形態において、前述の実施形態と同一構成には、同一符号を付してその説明は省略する。
【００４１】
図１８及び図１９（ａ）に示すように、前記第１フック金具７６は、垂直な長方形の基板５１の上縁右半分に平面視Ｌ字形の挿入片７８を直角に形成し、該挿入片７８の先端部には左側内向きに係止爪７９を形成し、前記基板５１の下縁には前記挿入片７８と同じ方向に補強片５４を折曲形成し、更に前記基板５１の上下部に螺孔５５，５５を設けている。本実施形態の前記挿入片７８は、前記挿入片５２と同様な挿入部７８Ａと該挿入部７８Ａから右側へ直角に延長したアーム部７８Ｂとからなっており、該アーム部７８Ｂの先端側に前記挿入部７８Ａの方へ向けて前記係止爪７９を形成している。
【００４２】
また、前記第２フック金具７７は、前記基板５１と同じ大きさの垂直な基板５６の上縁左半分に挿入片８０を直角に形成し、該挿入片８０の先端部には右側内向きに係止爪８１を形成し、前記基板５６の上部に通孔５９を形成するとともに、下部に座グリ孔６０を形成している。本実施形態の前記挿入片８０は、前記挿入片５７と同様な挿入部８０Ａと該挿入部８０Ａから左側へ直角に延長したアーム部８０Ｂとからなっており、該アーム部８０Ｂの先端側に前記挿入部８０Ａの方へ向けて前記係止爪８１を形成している。
【００４３】
ここで、前記第２フック金具７７のアーム部８０Ｂは、前記第１フック金具７６のアーム部７８Ｂよりも短く設定している。そして、前記第１フック金具７６の挿入片７８を横目地部２３に挿入するとともに、端部から２番目の係合孔２２、即ち上横枠１７，２５の端部の係合孔２２の左側孔縁（間仕切パネルにおいて外側）に前記係止爪７９を係止し、それから前記第２フック金具７７の挿入片８０を横目地部２３に挿入するとともに、端部の係合孔２２、即ち縦枠１４，２４の係合孔２２の右側孔縁（間仕切パネルにおいて内側）に前記係止爪８１を係止し、前記第１フック金具７６の基板５１に前記第２フック金具７７の基板５６を重ねて皿ネジ６７で締め付け、両基板５１，５６を前記本体金具５０の取付部６１の溝内部に収容し、皿ネジ６８で一体化する。この状態では、前記本体金具５０は、前記係止爪８１に近い位置、即ち縦枠１４，２４の前面側の位置になる。そして、前記同様に、上下に複数の係着金具７５，…を係着した状態で、前記連結杆４７の凹溝部６９に各本体金具５０の取付部６１を収容した状態で、該連結杆４７をネジ７２で締め付けて、複数の係着金具７５，…と連結杆４７を一体化するのである。
【００４４】
尚、前記第１フック金具７６と第２フック金具７７は、上下反転させて使用することはできない。そのため、前記第１フック金具７６と第２フック金具７７と鏡像関係となる形状の第１フック金具７６Ａと第２フック金具７７Ａを用意しておくのである。図示した例では、間仕切パネルの左側の端部に、前記第１フック金具７６と第２フック金具７７を装着したが、右側の端部では前記第１フック金具７６Ａと第２フック金具７７Ａを用いる必要がある。
【００４５】
これまでの実施形態では、オプションとして他の間仕切パネルを連結する構造を説明したが、棚板、照明器具あるいはキャビネットを前記係着金具４６を用いて取付けることができる。例えば、棚板については、同一の横目地部２３内において左右方向に所定間隔を隔てて存する任意の係合孔２２，２２に対して係着金具４６，４６を各々係着し、係着金具４６を利用してブラケットを取付け、あるいは、左右に位置する複数の係着金具４６，…に渡って横方向に延びる連結杆を取付け、連結杆を利用してブラケットを取付け、これらブラケットに棚板を支持することができる。
【００４６】
次に、図２１〜図２６に基づいて、前記天板５の上面に、サイドパネル８２を前記フロントパネル部１６の横目地部２３を利用して取付ける構造を説明する。前記サイドパネル８２を取付ける位置は横方向で任意ではないが、前記横目地部２３に臨む係合孔２２，…の何れかの位置に対応するので、実質的に略希望通りの位置に取付けることができる。先ず、前記サイドパネル８２は、側面視四角形のサイドフレーム８３の表裏両面にパネル板８４，８４を着脱可能に装着するとともに、サイドフレーム８３の上端に笠木８５、前後端面に化粧カバー８６，８６を取付けた構造である。
【００４７】
そして、図２１に示すように、前記天板５の上面に奥行方向に沿ってレール部材８７を前後のクランプ金具８８，８９で取付け、該レール部材８７に前記サイドフレーム８３の下枠９０に設けた下方開放の係合溝９１を嵌合して互いにネジ止めするとともに、前記係合孔２２に前方から嵌挿した規制金具９２を、後方の化粧カバー８６の上端に固定した側面視倒Ｌ字状の連結金具９３の水平板９３Ａと重ねた状態で、前記サイドフレーム８３より後方へ延びた前記笠木８５の後端部下面側にネジ止めし、前記サイドフレーム８３を天板５とフロントパネル部１６に取付ける。最後に、前記サイドフレーム８３にパネル板８４を装着して、前後左右の変位を確実に規制した状態でサイドパネル８２を天板５の上面に構築する。
【００４８】
更に詳しくは、図２２及び図２３に示すように、前記レール部材８７は、断面略ハット型のであり、中央のレール部８７Ａを上方に向けて、両側の支持板８７Ｂ，８７Ｂを前記天板５の上面に直接、又は好ましくは緩衝シートを介して載置する。そして、図２５及び図２６に示すように、前記天板５の前側から前クランプ金具８８の当止板８８Ａを天板下面に係止するとともに、前記レール部材８７のレール部８７の内部に引付板８８Ｂを位置させ、前記レール部８７の上方から挿通したネジ８８Ｃを前記引付板８８Ｂに螺合して前記前クランプ金具８８を上方へ引き上げて前記天板５を上下から挟持する。同様に、前記前記天板５の後側から後クランプ金具８９の当止板８９Ａを天板下面に係止するとともに、前記レール部材８７のレール部８７の内部に引付板８９Ｂを位置させ、前記レール部８７の上方から挿通したネジ８９Ｃを前記引付板８９Ｂに螺合して前記後クランプ金具８９を上方へ引き上げて前記天板５を上下から挟持する。それから、前記サイドフレーム８３の下枠９０の係合溝９１を、前記レール部材８７のレール部８７に外嵌し、前記下枠９０の上方から挿通したネジ９４を前記レール部８７に螺合して取付ける。
【００４９】
一方、前記サイドフレーム８３の上端後部は、図２２〜図２４に示すように、左右への変位を規制するだけでよいので、前記規制金具９２の後端の嵌合片９２Ａを所望の係合孔２２に前方から嵌入し、該規制金具９２を前記サイドフレーム８３に前記連結金具９３を介して、後側の化粧カバー８６及び笠木８５を利用して連結するのである。具体的には、前記連結金具９３の垂直板９３Ｂを後側の前記化粧カバー８６の上端部内面側に水平板９３Ａを後方へ突出させた状態で、ネジ９３Ｃで固定する。ぞじて、前記後側の前記化粧カバー８６を前記サイドフレーム８３の後端に取付ける。それから、前記規制金具９２の嵌合片９２Ａを係合孔２２に嵌入し、前記連結金具９３の水平板９３Ａの下側に重ね、前記サイドフレーム８３の上端に後部を後方へ突出した状態で取付けた前記笠木８５の下面側に、前記規制金具９２と連結金具９３の水平板９３Ａを共にネジ９５で連結するのである。尚、図２４に示すように、前記規制金具９２、連結金具９３、化粧カバー８６及び笠木８５は、予め前記サイドフレーム８３に取付けた状態で、後方に突出した嵌合片９２Ａを係合孔２２に嵌入すると同時に、前記サイドフレーム８３の下枠９０の係合溝９１を、前記レール部材８７のレール部８７に外嵌してネジ止めするようにしてもよい。
【００５０】
図２２は、前記延長フレーム１０の端部の係合孔２２を用いて、天板５の端部にサイドパネル８２を取付ける態様であり、その場合には、前記規制金具９２の嵌合片９２Ａを外側端に設けた形状のものを用いる。一方、図２３は、前記延長フレーム１０の中間部の係合孔２２を用いて、天板５の左右中間部にサイドパネル８２を取付ける態様であり、その場合には、前記規制金具９２の嵌合片９２Ａを中央部に設けた形状のものを用いる。
【符号の説明】
【００５１】
１  パネルフレーム、          ２  端部脚、
３  支持脚、                  ４  パネル脚、
５  天板、                    ６  ダクトカバー、
７  上部配線受け、            ８  下部配線受け、
９  幕板、                    １０  延長フレーム、
１１  パネル板、              １２  笠木、
１３  側カバー、              １４  縦枠、
１５  ダクト開口、            １６  フロントパネル部、
１７  上横枠、                １８  下横枠、
１９  アジャスター、          ２０  開口、
２１  係止孔、                ２２  係合孔、
２３  横目地部、              ２４  縦枠、
２５  上横枠、                ２６  下横枠、
２７  嵌合部、                ２８  脚板部、
２９  支持アーム、            ３０  下向きフック、
３１  脚連結金具、            ３２  締結ボルト、
３３  上向きフック、          ３４  上面板、
３５  螺孔、                  ３６  アジャスター、
３７  固定板、                ３８  通孔、
３９  ネジ、                  ４０  ガイド溝、
４１  取付部材、              ４２  ヒンジ部材、
４３  支持金具、              ４４  係止金具、
４５  ラッチ、                ４６  係着金具、
４７  連結杆、                ４８  第１フック金具、
４９  第２フック金具、        ５０  本体金具、
５１  基板、                  ５２  挿入片、
５３  係止爪、                ５４  補強片、
５５  螺孔、                  ５６  基板、
５７  挿入片、                ５８  係止爪、
５９  通孔、                  ６０  座グリ孔、
６１  取付部、                ６２  カバー片、
６３  座グリ孔、              ６４  螺孔、
６５  取付板、                ６６  側面板、
６７  皿ネジ、                ６８  皿ネジ、
６９  凹溝部、                ７０  ナット部材、
７１  通孔、                  ７２  ネジ、
７３  ボルト、                ７４  巾木、
７５  係着金具、              ７６  第１フック金具、
７６Ａ  第１フック金具、      ７７  第２フック金具、
７７Ａ  第２フック金具、      ７８  挿入片、
７８Ａ  挿入部、              ７８Ｂ  アーム部、
７９  係止爪、                ８０  挿入片、
８０Ａ  挿入部、              ８０Ｂ  アーム部、
８１  係止爪、                ８２  サイドパネル、
８３  サイドフレーム、        ８４  パネル板、
８５  笠木、                  ８６  化粧カバー、
８７  レール部材、            ８７Ａ  レール部、
８７Ｂ  支持板、              ８８  前クランプ金具、
８８Ａ  当止板、              ８８Ｂ  引付板、
８８Ｃ  ネジ、                ８９  後クランプ金具、
８９Ａ  当止板、              ８９Ｂ  引付板、
８９Ｃ  ネジ、                ９０  下枠、
９１  係合溝、                ９２  規制金具、
９２Ａ  嵌合片、              ９３  連結金具、
９３Ａ  水平板、              ９３Ｂ  垂直板、
９３Ｃ  ネジ、                ９４  ネジ、
９５  ネジ。
【図１】
0005724419.tif 000002
【図２】
0005724419.tif 000003
【図３】
0005724419.tif 000004
【図４】
0005724419.tif 000005
【図５】
0005724419.tif 000006
【図６】
0005724419.tif 000007
【図７】
0005724419.tif 000008
【図８】
0005724419.tif 000009
【図９】
0005724419.tif 000010
【図１０】
0005724419.tif 000011
【図１１】
0005724419.tif 000012
【図１２】
0005724419.tif 000013
【図１３】
0005724419.tif 000014
【図１４】
0005724419.tif 000015
【図１５】
0005724419.tif 000016
【図１６】
0005724419.tif 000017
【図１７】
0005724419.tif 000018
【図１８】
0005724419.tif 000019
【図１９】
0005724419.tif 000020
【図２０】
0005724419.tif 000021
【図２１】
0005724419.tif 000022
【図２２】
0005724419.tif 000023
【図２３】
0005724419.tif 000024
【図２４】
0005724419.tif 000025
【図２５】
0005724419.tif 000026
【図２６】
0005724419.tif 000027